(57)【要約】【課題】  レンズの交換をスムーズに行うことが可能なカメラレンズカバーを提供する。【解決手段】  鞄の底などに固定される台座３と、台座３上に取り付けられてカメラレンズの基端部が接続される接続部材５と、接続部材５に設けられる案内部材７とを備える。台座３は、円柱状とされ、弾性材により形成されており、弾性変形可能とされる。接続部材５は、上方へ開口する有底の円筒状とされる。接続部材５には、レンズＬの基端部が係合可能とされる被係合部３３が形成されている。【選択図】  図１
2016137192.tif 000002
【特許請求の範囲】
【請求項１】
弾性材により形成される台座と、
この台座上に設けられ、カメラレンズの基端部が着脱可能に装着される接続部材と
を備えることを特徴とするカメラレンズカバー。
【請求項２】
前記接続部材にカメラレンズを受け入れる案内部材が設けられる
ことを特徴とする請求項１に記載のカメラレンズカバー。
【請求項３】
カメラレンズの基端部が着脱可能に装着される接続部材と、
この接続部材に設けられ、カメラレンズを受け入れる案内部材と
を備えることを特徴とするカメラレンズカバー。
【請求項４】
前記接続部材には、大きさの異なる前記案内部材が着脱可能に設けられる
ことを特徴とする請求項２または請求項３に記載のカメラレンズカバー。
【請求項５】
請求項１から請求項４までのいずれかに記載のカメラレンズカバーが、前記接続部材を上方へ向けた状態で底部に取り付けられたことを特徴とする鞄。
【発明の詳細な説明】
【技術分野】
【０００１】
本発明は、カメラのレンズに着脱可能に取り付けられるカメラレンズカバーに関するものである。
【背景技術】
【０００２】
カメラの交換用レンズは、そのガラス面を傷つけないように、鞄に収容する際には、先端部にキャップが取り付けられ、基端部にカバーが取り付けられている。
【発明の概要】
【発明が解決しようとする課題】
【０００３】
ところで、従来、カメラのレンズを交換する場合、まず、レンズ先端部へのキャップを鞄から取り出し、レンズ先端部に取り付けて、カメラ本体からレンズを取り外し、レンズ基端部へのカバーを鞄から取り出してレンズ基端部に取り付けていた。このように、従来は、レンズの交換に時間がかかると共に、常に両手がふさがり、シャッターチャンスを逃すおそれがあった。
【０００４】
本発明が解決しようとする課題は、レンズの交換をスムーズに行うことが可能なカメラレンズカバーを提供することにある。
【課題を解決するための手段】
【０００５】
本発明は、前記課題を解決するためになされたもので、請求項１に記載の発明は、弾性材により形成される台座と、この台座上に設けられ、カメラレンズの基端部が着脱可能に装着される接続部材とを備えることを特徴とするカメラレンズカバーである。
【０００６】
請求項２に記載の発明は、前記接続部材にカメラレンズを受け入れる案内部材が設けられることを特徴とする請求項１に記載のカメラレンズカバーである。
【０００７】
請求項３に記載の発明は、カメラレンズの基端部が着脱可能に装着される接続部材と、この接続部材に設けられ、カメラレンズを受け入れる案内部材とを備えることを特徴とするカメラレンズカバーである。
【０００８】
請求項４に記載の発明は、前記接続部材には、大きさの異なる前記案内部材が着脱可能に設けられることを特徴とする請求項２または請求項３に記載のカメラレンズカバーである。
【０００９】
さらに、請求項５に記載の発明は、請求項１から請求項４までのいずれかに記載のカメラレンズカバーが、前記接続部材を上方へ向けた状態で底部に取り付けられたことを特徴とする鞄である。
【発明の効果】
【００１０】
本発明によれば、レンズの交換をスムーズに行うことが可能なカメラレンズカバーを提供することができる。
【図面の簡単な説明】
【００１１】
【図１】本発明のカメラレンズカバーの一実施例を示す概略斜視図である。
【図２】図１のカメラレンズカバーの概略縦断面図である。
【図３】図１のカメラレンズカバーの概略分解斜視図である。
【図４】カメラレンズの一例を示す斜視図である。
【図５】接続部材に対する案内部材の着脱方法を示す図である。
【図６】図１のカメラレンズカバーが鞄内に取り付けられた状態を示す図である。
【図７】図１のカメラレンズカバーの使用方法を示す図であり、（ａ）はカメラレンズをカメラレンズカバーに取り付けようとしている状態を示し、（ｂ）はカメラレンズがカメラレンズカバーに取り付けられた状態を示している。
【図８】図１のカメラレンズカバーの台座が弾性変形した状態を示す図である。
【図９】図１のカメラレンズカバーの案内部材を取り換えた状態を示す縦断面図である。
【発明を実施するための形態】
【００１２】
以下、本発明のカメラレンズカバーの一実施例について図面に基づいて具体的に説明する。
【００１３】
図１から図３は、本発明の一実施例のカメラレンズカバーを示す概略図であり、図１は斜視図、図２は縦断面図、図３は分解斜視図である。
【００１４】
本実施例のカメラレンズカバー１は、鞄の底などに固定される台座３と、この台座３上に取り付けられてレンズの基端部が接続される接続部材５と、この接続部材５に設けられる案内部材７とを主要部に備える。
【００１５】
台座３は、図示例では円柱状とされ、弾性変形可能とされる。
本実施例では、台座３は、弾性材（たとえばゴムやスポンジ）により形成されている。
【００１６】
接続部材５は、上方へ開口する有底の円筒状とされ、その上端部には、径方向外側へ拡径して鍔部１１が形成されている。
【００１７】
接続部材５の円筒状部の上端部は、その内面が上方へ行くにしたがって径方向外側へ傾斜する傾斜面１３に形成されている。
【００１８】
鍔部１１には、上下方向に貫通する矩形状の貫通穴１７が、周方向に等間隔に離隔して複数形成されており、図示例では３つ形成されている。
【００１９】
接続部材５は、台座３に載せ置かれて、その底壁１９が台座３に接着等により固定されている。
【００２０】
接続部材５には、カメラレンズの基端部が着脱可能に装着される構造が採用されている。つまり、接続部材５には、カメラ本体へのレンズの装着構造と対応した構成が採用されている。
【００２１】
図４は、カメラレンズの一例を示す斜視図である。
【００２２】
たとえば、キャノン株式会社製のレンズＬの場合、図４に示すように、その基端部（図４において下部）には、断面矩形状の凹溝２５が外周部に沿って、環状に形成されている。この凹溝２５の下壁は、周方向複数個所で切り欠かれている。これにより、凹溝２５の下部には、周方向に等間隔に離隔して３つの凸部２７が形成されている。
【００２３】
そして、接続部材５には、レンズＬの基端部が係合可能とされる被係合部３３が形成されている。本実施例では、接続部材５の内周面に、周方向等間隔に離隔して、周方向に沿って設けられる棒状の被係合部３３が３つ形成されている。
また、各被係合部３３の一端側には、被係合部３３と隙間をあけて、上下方向に沿って縦材３５が設けられている。
被係合部３３は、レンズＬの基端部の凸部２７，２７間より周方向の長さが若干短く形成されている。
【００２４】
案内部材７は、略円筒状とされ、その上端部７ａは、上方へ行くにしたがって拡径して円錐台状に形成されている。
【００２５】
また、案内部材７の下端部には、径方向外側へ水平に突出して鍔状に突出部４１が形成されている。
【００２６】
さらに、案内部材７の下端部には、下方へ突出して連結部４５が、周方向等間隔に離隔して、３つ形成されている。
連結部４５は、案内部材７の下端部から矩形板状に突出する板状部４７と、この板状部４７の幅方向両端部の下端部からそれぞれ上方へ延出して設けられる係止部４９，５１とを有する。
係止部４９，５１は、板状部４７の下端部から上方へ行くにしたがって板状部４７との隙間が拡幅するように形成されており、可撓性を有する。
【００２７】
一方の係止部４９の中途部には、外方へ半円形状に膨出して突部４９ａが形成されている。
【００２８】
図５は、接続部材に対する案内部材の着脱方法を示す図である。
【００２９】
図５（ａ）に示すように、案内部材７は、接続部材５に対して下方へ押し込んで装着される。具体的には、案内部材７は、その連結部４５が、鍔部１１の貫通穴１７に通されるように周方向に位置決めがなされた状態で、接続部材５に対して下方へ押し込まれる。
これにより、案内部材７の連結部４５の係止部４９，５１が、互いに近接するように弾性変形して、連結部４５が接続部材５の鍔部１１の貫通穴１７に突入して装着される。この状態では、案内部材７の突出部４１が、接続部材５の鍔部１１の上面に載置されている。このようして、案内部材７が接続部材５に着脱可能に取り付けられる。
【００３０】
案内部材７が接続部材５に取り付けられた状態では、各係止部４９，５１の先端部（上端部）が貫通穴１７内に配置されて、接続部材５を押圧している。また、案内部材７が接続部材５に取り付けられた状態では、一方の係止部４９の突部４９ａは、鍔部１１の下方に配置されている。これにより、案内部材７の勝手な離脱が防止される。
【００３１】
案内部材７を接続部材５から取り外す際には、図５（ｂ）に示すように、案内部材７を他方の係止部５１側（図１において反時計方向であり、図５（ｂ）で右側）に回転させ、他方の係止部５１を弾性変形させる。そして、図５（ｃ）に示すように、案内部材７を上方へ引き上げると、一方の係止部４９の突部４９ａが上方へ引き抜き可能とされて、案内部材７を接続部材５から取り外すことが可能とされる。
【００３２】
図６は、図１のカメラレンズカバーが鞄内に取り付けられた状態を示す図である。
【００３３】
本実施例のカメラレンズカバー１は、たとえば、図６に示すように、鞄Ｂ内に収容されて使用される。図示例では、台座３が、鞄Ｂの底に載せ置かれて固定される。また、鞄Ｂ内は複数の矩形状の区画に仕切られており、この仕切られた各区画内にカメラレンズカバー１が取り付けられており、図示例では、鞄Ｂ内に、２つのカメラレンズカバー１が収容されている。
【００３４】
次に、本実施例のカメラレンズカバー１を使用してレンズを交換する方法について説明する。
【００３５】
図７は、図１のカメラレンズカバーの使用方法を示す図であり、（ａ）はレンズをカメラレンズカバーに取り付けようとしている状態を示し、（ｂ）はレンズがカメラレンズカバーに取り付けられた状態を示している。
【００３６】
まず、予め、交換用のレンズＬをカメラレンズカバー１に取り付けておく。
具体的には、レンズＬをカメラレンズカバー１に装着する際には、図７の（ａ）に示すように、レンズＬの基端部の凸部２７，２７間に、被係合部３３が配置されるように位置を合わせて、レンズＬを接続部材５に差し込む。そして、レンズＬを周方向に回転させることで、レンズＬの凹溝２５に被係合部３３が入り込み、図７の（ｂ）に示すように、レンズＬが接続部材５に装着される。なお、縦材３５がレンズＬの凸部２７に当接することで、所定以上の回転が規制される。
【００３７】
本実施例では、接続部材５の上端部に、上方へ行くにしたがって拡径する案内部材７が設けられていることで、レンズＬの基端部を案内部材７に沿わすように挿入することで、レンズは接続部材５へ誘導されて、容易に装着することが可能である。
【００３８】
また、本実施例では、台座３が弾性変形可能であることから、図８に示すように、レンズＬを接続部材５に挿入する際に、手の動作に合わせて、案内部材７や接続部材５が傾倒できる。つまり、手の動作に合わせて案内部材７や接続部材５が追従するので、レンズＬを接続部材５に取り付けやすい。
【００３９】
このように予備のレンズＬをカメラレンズカバー１に予め装着しておき、レンズを交換する際、まず、カメラ本体に装着されたレンズＬの先端部にキャップを取り付け、カメラ本体に装着されたレンズＬを取り外し、レンズＬが装着されていない鞄Ｂ内のカメラレンズカバー１に取り付ければよい。
そして、予めカメラレンズカバー１に取り付けられた交換用のレンズＬを接続部材５に対して回転させて上方へ引き上げて、接続部材５から取り外し、カメラ本体に装着すればよい。
本実施例では、レンズの基端部にカバーを装着する際、片手でレンズにカバーを取り付けることができ、時間をかけずにスムーズにレンズ交換を行うことができる。
【００４０】
ところで、本実施例では、案内部材７は、接続部材５に対して着脱可能とされる。
そこで、カメラレンズの大きさによって、案内部材７を変更することで、以下に述べるように、カメラレンズを接続部材に取り付けやすくできる。
【００４１】
図９は、図１のカメラレンズカバーの案内部材を取り換えた状態を示す図である。
【００４２】
図９に示す案内部材７は、図２に示される案内部材７より内径が大きく形成されている。具体的には、図９における案内部材７は、その下端部から径方向内側へ突出して突出部４１が形成されている。
このように案内部材７の内径を変えることで、大きさの異なるレンズをスムーズに接続部材５に取り付けることができる。
【００４３】
本発明のカメラレンズカバーは、上記実施例の構成に限らず、適宜変更可能である。
たとえば、上記実施例では、案内部材７と接続部材５とは別体としたが、一体に構成してもよい。また、接続部材５と案内部材７との連結の仕方は、適宜変更可能である。
【００４４】
また、上記実施例において、案内部材７の設置を省略してもよく、この場合、カメラレンズカバー１は、台座３と接続部材５とにより構成される。
また、上記実施例において、台座３の設置を省略してもよく、この場合、カメラレンズカバー１は、接続部材５と案内部材７とにより構成され、接続部材５が、たとえば鞄の底に固定されて用いられる。
【００４５】
また、上記実施例では、鞄Ｂ内に２つのカメラレンズカバー１を収容したが、その個数は適宜変更可能である。
【００４６】
また、上記実施例では、キャノン株式会社製のカメラレンズが装着される場合について説明したが、その他のメーカーのレンズを装着することも可能であり、その場合、接続部材５の被係合部３３の構造を、各メーカーのレンズが装着可能な構造に変更すればよい。
【００４７】
台座３は、弾性変形可能であればその構成は特に問わず、たとえばコイルバネにより構成されていてもよい。
【符号の説明】
【００４８】
１  カメラレンズカバー
３  台座
５  接続部材
７  案内部材
【図１】
2016137192.tif 000003
【図２】
2016137192.tif 000004
【図３】
2016137192.tif 000005
【図４】
2016137192.tif 000006
【図５】
2016137192.tif 000007
【図６】
2016137192.tif 000008
【図７】
2016137192.tif 000009
【図８】
2016137192.tif 000010
【図９】
2016137192.tif 000011